(57)【要約】【解決手段】ディンプルの直径が同じものを１つのディンプルグループとした場合、上記直径の異なる複数種類のディンプルグループのうち少なくとも１つのディンプルグループは、そのディンプルが２種類以上の相異なる断面形状によって形成されており、当該２種類以上の相異なる断面形状を有するディンプルが、上記ディンプルの縁部によって囲まれた平面下のディンプル空間体積を、該平面を底面としこの底面から各ディンプルの最大深さを高さとする円柱体積で除した値Ｖ0が上記断面形状の相異によって０．０３以上異なるものであり、かつゴルフボール表面に配置された全ディンプルのＶ0値を平均した平均Ｖ0値が０．４〜０．６の範囲であるゴルフボール。【効果】本発明によれば、ゴルフボール表面に配置される多数のディンプルに対し立体的にディンプル形状を組み合せ配置することにより空気力学的特性が向上し、優れた飛翔性能を有するものである。【選択図】図７
2008093481.tif 000002
【特許請求の範囲】
【請求項１】
表面に多数の平面円形ディンプルを有し、これらディンプルが複数種類の直径からなるゴルフボールにおいて、ディンプルの直径が同じものを１つのディンプルグループとした場合、上記直径の異なる複数種類のディンプルグループのうち少なくとも１つのディンプルグループは、そのディンプルが少なくとも２種類以上の相異なる断面形状によって形成されており、当該少なくとも２種類以上の相異なる断面形状を有するディンプルが、上記ディンプルの縁部によって囲まれた平面下のディンプル空間体積を、該平面を底面としこの底面から各ディンプルの最大深さを高さとする円柱体積で除した値Ｖ0が上記断面形状の相異によって少なくとも０．０３以上異なるものであり、かつゴルフボール表面に配置された全ディンプルのＶ0値を平均した平均Ｖ0値が０．４〜０．６の範囲であることを特徴とするゴルフボール。
【請求項２】
上記ディンプルの直径が２〜５ｍｍである請求項１記載のゴルフボール。
【請求項３】
上記ディンプルの深さが０．０５〜０．３０ｍｍである請求項１又は２記載のゴルフボール。
【発明の詳細な説明】
【技術分野】
【０００１】
本発明は、飛翔性に優れたゴルフボールに関する。
【背景技術】
【０００２】
ゴルフボールは、空気力学的特性を向上させるために平面円形の窪みであるディンプルを多数表面に備えており、これによってディンプルを有さない滑らかなゴルフボールより一層良く飛ぶことは広く知られている。
【０００３】
この場合、ゴルフボールの飛距離はボールに作用する初速度、ボールの飛行中に作用する抗力と揚力及びスピン回転数、その他気象条件等の諸要素によって左右されるが、飛距離増大のための理論的な解析は困難視されている。
【０００４】
このため、ボール構成材料の影響が大きい初速度を除いて、飛翔性能を向上させるべく、ボールの形状的要素に関係するディンプルにつき、従来からディンプル直径を大きくしたり、大小複数種類のディンプル直径を採用したり、ディンプル深さを浅く、又は逆に深くしたり、ディンプル形状を円形から多角形状などの各種形状に変更したり、ディンプル数を増減させることなどが種々試みられており、それなりに成果を挙げている。
【発明の開示】
【発明が解決しようとする課題】
【０００５】
しかしながら、上記提案によっても、特にプロゴルファーをはじめとする高い技術レベルで見た場合、満足できる飛び性能を備えたゴルフボールは未だ得られておらず、更なる改良、開発が望まれている。
【０００６】
本発明は、上記問題点に鑑みなされたもので、ゴルフボール表面に配置される多数のディンプルに対し、立体的にディンプル形状を組み合せて配置することにより空気力学的特性を向上させたゴルフボールを提供することを目的とする。
【課題を解決するための手段】
【０００７】
本発明は、上記目的を達成するため、下記のゴルフボールを提供する。
〔１〕  表面に多数の平面円形ディンプルを有し、これらディンプルが複数種類の直径からなるゴルフボールにおいて、ディンプルの直径が同じものを１つのディンプルグループとした場合、上記直径の異なる複数種類のディンプルグループのうち少なくとも１つのディンプルグループは、そのディンプルが少なくとも２種類以上の相異なる断面形状によって形成されており、当該少なくとも２種類以上の相異なる断面形状を有するディンプルが、上記ディンプルの縁部によって囲まれた平面下のディンプル空間体積を、該平面を底面としこの底面から各ディンプルの最大深さを高さとする円柱体積で除した値Ｖ0が上記断面形状の相異によって少なくとも０．０３以上異なるものであり、かつゴルフボール表面に配置された全ディンプルのＶ0値を平均した平均Ｖ0値が０．４〜０．６の範囲であることを特徴とするゴルフボール。
〔２〕  上記ディンプルの直径が２〜５ｍｍである〔１〕記載のゴルフボール。
〔３〕  上記ディンプルの深さが０．０５〜０．３０ｍｍである〔１〕又は〔２〕記載のゴルフボール。
【０００８】
本発明のゴルフボールは、その表面に複数種類の直径からなるディンプルを有すると共に、これら直径の異なるディンプルグループのうち少なくとも１つのディンプルグループを構成するディンプルを複数種類の断面形状から形成すること、好ましくはＶ0値を０．０３以上とすることにより、立体的にもディンプル形状が適正化され、これらディンプルを組み合せて適正に配置することにより、ディンプル効果が十分に発揮され、空気力学的特性が飛躍的に向上し、飛翔性に優れたゴルフボールが得られるものである。
【発明の効果】
【０００９】
本発明によれば、ゴルフボール表面に配置される多数のディンプルに対し立体的にディンプル形状を組み合せ配置することにより空気力学的特性が向上し、優れた飛翔性能を有するものである。
【発明を実施するための最良の形態】
【００１０】
以下、本発明につき更に詳しく説明する。
本発明のゴルフボールは、その表面に複数種類の直径からなるディンプルを有すると共に、これら直径の異なるディンプルグループのうち少なくとも１つのディンプルグループを構成するディンプルを少なくとも２種類以上の相異る断面形状に形成してなるものである。
【００１１】
ここで、本発明のディンプルは、平面形状が円形であり、好ましくは直径が２〜５ｍｍ、深さが０．０５〜０．３０ｍｍの範囲にあり、この範囲において、直径又は直径と深さが異なる複数種類（好ましくは２〜５種類）である。
【００１２】
本発明において、これら直径の異なる複数種類のディンプルグループのうち少なくとも１つのディンプルグループは、そのグループ内において、ディンプルが少なくとも２種類以上、好ましくは２〜３種類の相異る断面形状から形成される。この場合、ディンプル断面形状としては、例えば、図１に示したように、通常の円弧状ディンプル、図２に示したように、中央部が更に深さを増した二重ディンプル、図３に示したように、ディンプル縁部近傍から深さを増した深縁ディンプル、などが挙げられる。
【００１３】
本発明においては、直径の異なる複数種類のディンプルグループの総てについてディンプル断面形状を変化させても良いことは勿論であるが、最も数多く使用される直径のディンプルグループのみについて相異なるディンプル断面形状（例えば、上記図２の断面形状と図３の断面形状）に変化させてもよく、或いは数多く使用される直径のディンプルグループから順にディンプル断面形状の種類を変化させる（例えば、３種類の直径の異なるディンプルグループの場合、一番多く使用されるディンプル直径のグループの断面形状を３種類、２番のグループの断面形状を２種類、３番目のグループの断面形状を１種類とする）ことも効果的である。
【００１４】
また、上記ディンプル断面形状の相異を評価する際の指標として、以下に示すＶ0値が用いられる。
Ｖ0値
Ｖ0値は、各ディンプルの縁部によって囲まれる平面下のディンプル空間体積を、前記平面を底面としかつこの底面からの各ディンプルの最大深さを高さとする円柱体積で除した値である。
【００１５】
即ち、このＶ0値は個々のディンプルのゴルフボールに占める実質的な体積の割合を示すものであり、更に詳しく説明すると、図４に示したように、ディンプル１上にボール直径の仮想球面２を設定すると共に、ボール直径より０．０４ｍｍ小さい直径の球面３を設定し、この球面３の円周とディンプル１との交点４を求め、該交点４における接線５と前記仮想球面２との交点６との連なりをディンプル縁部７とする。この場合、上述したディンプル縁部７の設定は、通常ディンプル１の縁部は丸みを帯びているため、このような設定がないとディンプル縁部の正確な位置がわからないためである。そして、図５，６に示したように、前記縁部７によって囲まれる平面（円：直径ＤＭ）８下のディンプル空間９の体積ＶＰを下記式より求める。一方、前記平面８を底面とし、この平面８からのディンプル最大深さＤＰを高さとする円柱１０の体積ＶＱを下記式より求める。これにより、円柱体積ＶＱに対するディンプル空間体積ＶＰの比を算出し、これをＶ0値とする。
【００１６】
【数１】
2008093481.tif 000003
【００１７】
本発明のゴルフボールにおいては、直径の異なる複数種類のディンプルグループのうち少なくとも１つのディンプルグループを構成する少なくとも２種類以上の相異なる断面形状のディンプルのＶ0値が、ディンプル断面形状の相異によって少なくとも０．０３以上異なることが好ましく、その上限は０．２である。Ｖ0値の差が０．０３未満では、ディンプル断面形状の差異がほとんどなくなり本発明の作用効果を達成することができない場合がある。
【００１８】
なお、図４中θは、ディンプルのエッヂ角度であり、接点４における接線５とディンプル縁部７によって囲まれる平面８とのなす角度であり、通常３〜３０度である。
【００１９】
また、ゴルフボール表面に配置された全ディンプルの平均Ｖ0値は、本発明のゴルフボールにおいては、ディンプル直径及び／深さの異なる複数種類のディンプルからなると共に、直径の異なる複数種類のディンプルグループのうち少なくとも１つのディンプルグループを構成するディンプルが少なくとも２種類以上の相異なる断面形状であるために、各ディンプルグループを構成する断面形状の異なるディンプルごとのＶ0値を求め、これをグループごとに集計し、これらを平均して全ディンプルの平均Ｖ0値を求める。この平均Ｖ0値は０．４〜０．６の範囲であり、好ましくは０．４３〜０．５５である。Ｖ0値が０．４未満及び０．６を超える何れの場合においても飛距離がおちる傾向がある。
【００２０】
なお、本発明のゴルフボールにおいて、上記ディンプルのボール表面への配置（ディンプル配列態様）は特に制限されず、公知の正８面体配列、正２０面体配列などを採用することができ、ディンプル総数は通常３００〜５００個である。
【００２１】
以上説明したように、本発明のゴルフボールはゴルフボール表面に配置される多数のディンプルに対し、ディンプル直径を複数種類とすると共に、直径の異なるディンプルグループを構成する少なくとも１つのグループにおいて、ディンプルの断面形状を複数種類とすることにより、立体的にもディンプル形状を組み合せて適正に配置することができ、空気力学的特性が向上し、飛距離が増大したものである。
【００２２】
なお、本発明のゴルフボールは、上記以外のボール構造などには制限はなく、公知の材料を用いて通常の方法を使用してワンピースゴルフボール、ツーピースゴルフボール、３層構造以上のマルチピースゴルフボール等のソリッドゴルフボールとしても、糸巻きゴルフボールとしてもよい。
【実施例】
【００２３】
以下、実施例と比較例を示して本発明を具体的に説明するが、本発明は下記実施例に制限されるものではない。
【００２４】
［実施例、比較例］
公知の材料を用いて通常の方法により、実施例、比較例のツーピースソリッドゴルフボール（直径４２．７ｍｍ、重量４５．２ｇ）を製造した。
【００２５】
実施例１のゴルフボールは、その表面に表１に示した３種類のディンプルａ，ａ’，ｂが正８面体を利用した配列態様で配置されており（図７参照；なお、図７ではその約１／４の部分にのみディンプル種別を印した）、全ディンプルの平均Ｖ0値は０．４６である。また、実施例２のゴルフボールは、その表面に表２に示した３種類のディンプルａ，ａ’，ｂを正２０面体を利用した配列態様で配置したものであり（図８参照；なお、図８ではその約１／５の部分にのみディンプル種別を印した）、全ディンプルの平均Ｖ0値は０．４６４である。
【００２６】
比較例のゴルフボールは、実施例１においてディンプルａ’の代わりにディンプルａと同じディンプルを使用した点のみが異なるものであり、全ディンプルの平均Ｖ0値は０．４５である。
【００２７】
【表１】
2008093481.tif 000004
【００２８】
【表２】
2008093481.tif 000005
【００２９】
これら実施例１，２、比較例のゴルフボールについて、スイングロボットにより、クラブとしてドライバーを用いてヘッドスピード４５ｍ／ｓｅｃでショットしたときのトータル飛距離を測定し、比較例の飛距離を１００とした場合の値で示した。結果を表３に示す。
【００３０】
【表３】
2008093481.tif 000006
【図面の簡単な説明】
【００３１】
【図１】本発明のゴルフボールのディンプル断面形状を示す断面図である。
【図２】同別の断面図である。
【図３】同更に別の断面図である。
【図４】本発明のディンプルの拡大図である。
【図５】同Ｖ0値を説明するための斜視図である。
【図６】同Ｖ0値を求めるための説明図である。
【図７】本発明の実施例１のゴルフボールのディンプル配列パターン図である。
【図８】同実施例２のゴルフボールのディンプル配列パターン図である。
【符号の説明】
【００３２】
１  ディンプル
２  仮想球面
４  接点
５  接線
【図１】
2008093481.tif 000007
【図２】
2008093481.tif 000008
【図３】
2008093481.tif 000009
【図４】
2008093481.tif 000010
【図５】
2008093481.tif 000011
【図６】
2008093481.tif 000012
【図７】
2008093481.tif 000013
【図８】
2008093481.tif 000014